(57)【要約】【課題】市販品の液体ボトルを使用可能し、また、様々な市販品の液体ボトルの高さサイズに簡易に対応可能とする簡易オートディスペンサー装置を提供する。【解決手段】簡易オートディスペンサー装置１は、液体ボトル２のポンプヘッド２４を押下げる押下げ部材４がスライド自在に取り付けられ、押下げ部材４を押下げ動作させる駆動機構８が設けられたボックス５と、センサ６１が取り付けられるトップ部６と、液体ボトル２が配置されるベース部７とをそれぞれ個別のパーツとし、１つの線材３に組み付けてユニットとするものである。前記ボックス５、前記トップ部６及び前記ベース部７は、共通パーツとして、市販品の液体ボトル２の高さサイズに対応して長さの異なる前記線材３に組み付け可能に構成されている。【選択図】図１
0003222758.tif 000002
【実用新案登録請求の範囲】
【請求項１】
ノズル付きポンプヘッドを有する市販品の液体ボトルが取り付けられ、センサが使用者の手指を検知すると、前記液体ボトルのポンプヘッドを押下げ操作してノズルから液体を吐出するオートディスペンサー装置であって、
前記液体ボトルのポンプヘッドを押下げる押下げ部材がスライド自在に取り付けられ、押下げ部材を押下げ動作させる駆動機構が設けられたボックスと、
前記センサが取り付けられるトップ部と、
前記液体ボトルが配置されるベース部と
をそれぞれ個別のパーツとし、１つの線材に組み付けてユニットとするものであり、
前記線材は、横方向に延びる横棒部と、横棒部の両端から下方に向けて折り曲げ形成された２本の縦棒部とから構成され、
前記ボックスは、前記線材の縦棒部に配置させる縦棒支持部と、前記線材の横棒部に配置させる横棒支持部とを有して前記線材に取り付けられる構成であり、
前記トップ部は、前記線材の横棒部に配置させる凹部を有してこの凹部と前記ボックスの横棒支持部との間で前記線材の横棒部を挟むようにして前記ボックスに取り付けられる構成であり、
前記ベース部は、前記線材の縦棒部の下端を取り付ける取付部を有して前記線材を倒立状態に保持する構成であり、
前記ボックス、前記トップ部及び前記ベース部は、共通パーツとして、市販品の液体ボトルの高さサイズに対応して長さの異なる前記線材に組み付け可能に構成されている簡易オートディスペンサー装置。
【請求項２】
請求項１に記載の簡易オートディスペンサー装置において、
前記ボックスには、前記センサ及び前記駆動機構に電気を供給する電池が収容されている簡易オートディスペンサー装置。
【請求項３】
請求項１又は２に記載の簡易オートディスペンサー装置において、
前記押下げ部材は、前記液体ボトルのポンプヘッドを押下げる押下板を有し、
前記押下板には、前記ポンプヘッドのノズルを配置させてノズルの向きを前側に向かせるガイド部が設けられている簡易オートディスペンサー装置。
【請求項４】
請求項１〜３のいずれか１項に記載の簡易オートディスペンサー装置において、
前記駆動機構は、モータ軸が一定角度内で正回転と逆回転とを行う変速モータを備えている簡易オートディスペンサー装置。
【考案の詳細な説明】
【技術分野】
【０００１】
本考案は、ハンドソープ、消毒液、シャンプー等に使用されているノズル付きポンプヘッドを有する市販品の液体ボトルを使用可能とする簡易オートディスペンサー装置に関する。
【背景技術】
【０００２】
従来のオートディスペンサー装置は、センサが使用者の手指を検知すると液体ボトルのポンプヘッドを押下げ操作してノズルから液体を吐出するものである。このオートディスペンサー装置は、ポンプヘッド付きの液体ボトルを格納する装置ケースに、使用者の手指を検知するセンサ、液体ボトルのポンプヘッドを押下げ動作させる駆動機構等を設けたものである（例えば、特許文献１、２）。
【先行技術文献】
【特許文献】
【０００３】
【特許文献１】特開２０１２−１４４２８３号公報
【特許文献２】特開２００１−１５３０３６号公報
【考案の概要】
【考案が解決しようとする課題】
【０００４】
従来のオートディスペンサー装置では、液体ボトルは専用の容器が使用されている。そのため、ユーザーがスーパー等の市場で手軽に購入できる市販品の液体ボトルを使用することができなかった。また、市販品の液体ボトルは、内容物の容量の違いやハンドソープと消毒液のような種類の違い等によって容器の高さが異なっている。そのため、オートディスペンサー装置として、市販品の液体ボトルを使用可能とし、かつ様々な容器の高さサイズに簡易に対応できるものが望まれている。
【０００５】
本考案は、前記事情に鑑みてなされたものであり、市販品の液体ボトルを使用可能とし、また、様々な市販品の液体ボトルの高さサイズに簡易に対応可能とする簡易オートディスペンサー装置を提供することを目的とする。
【課題を解決するための手段】
【０００６】
本考案に係る簡易オートディスペンサー装置は、
ノズル付きポンプヘッドを有する市販品の液体ボトルが取り付けられ、センサが使用者の手指を検知すると、前記液体ボトルのポンプヘッドを押下げ操作してノズルから液体を吐出するオートディスペンサー装置であって、
前記液体ボトルのポンプヘッドを押下げる押下げ部材がスライド自在に取り付けられ、押下げ部材を押下げ動作させる駆動機構が設けられたボックスと、
前記センサが取り付けられるトップ部と、
前記液体ボトルが配置されるベース部と
をそれぞれ個別のパーツとし、１つの線材に組み付けてユニットとするものであり、
前記線材は、横方向に延びる横棒部と、横棒部の両端から下方に向けて折り曲げ形成された２本の縦棒部とから構成され、
前記ボックスは、前記線材の縦棒部に配置させる縦棒支持部と、前記線材の横棒部に配置させる横棒支持部とを有して前記線材に取り付けられる構成であり、
前記トップ部は、前記線材の横棒部に配置させる凹部を有してこの凹部と前記ボックスの横棒支持部との間で前記線材の横棒部を挟むようにして前記ボックスに取り付けられる構成であり、
前記ベース部は、前記線材の縦棒部の下端を取り付ける取付部を有して前記線材を倒立状態に保持する構成であり、
前記ボックス、前記トップ部及び前記ベース部は、共通パーツとして、市販品の液体ボトルの高さサイズに対応して長さの異なる前記線材に組み付け可能に構成されているものである。
【考案の効果】
【０００７】
本考案に係る簡易オートディスペンサー装置によれば、前記ボックス、前記トップ部及び前記ベース部は、それぞれ個別のパーツとし、１つの線材に組み付けてユニットとするものである。これらボックス、トップ部、ベース部は、共通パーツとして、市販品の液体ボトルの高さサイズに対応する長さの異なる前記線材に対して組み付け可能に構成されている。従って、ユーザーが市場で手軽に購入できる市販品の液体ボトルを使用することができ、利便性が向上する。また、市販品の液体ボトルとして様々な容器の高さサイズの違いにも線材を変えるだけで線材以外の他のパーツを共通パーツとして簡単に組み立てて装置を完成することができる。よって、様々な市販品の液体ボトルに対応したオートディスペンサー装置を簡単に、且つ低コストに提供することができる。
【図面の簡単な説明】
【０００８】
【図１】実施形態の簡易オートディスペンサー装置の外観を示す側面図であり、同図（ａ）は、長い線材を使用して市販品の液体ボトルの高さが高いものに対応させた例を示す側面図であり、同図（ｂ）は、短い線材を使用して市販品の液体ボトルの高さが低いものに対応させた例を示す側面図である。
【図２】実施形態の簡易オートディスペンサー装置の各パーツを分解して示す分解斜視図である。
【図３】トップ部を外したボックスの上面側を示す上面図である。
【図４】トップ部の後面を示す後面図である。
【図５】駆動機構の変速モータ及びカムを示す正面図である。
【図６】駆動機構の他の例としてモータ、ギヤ機構及びカムを示す図であり、同図（ａ）は正面側を示す正面図であり、同図（ｂ）は側面側を示す側面図である。
【考案を実施するための形態】
【０００９】
以下に、本考案の実施形態について添付図面を参照しながら説明する。
図１に示すように、実施形態の簡易オートディスペンサー装置１は、市販品の液体ボトル２を取り付けて使用するものである。市販品の液体ボトル２は、一般消費者がスーパー等の市場で購入できるものであり、例えば、ハンドソープ、消毒液、シャンプー等である。この液体ボトル２は、液体を収容する容器２１と、容器２１の口部に取り付けられるキャップ２２と、キャップ２２に一体に取り付けられたノズル２３付きのポンプヘッド２４とから構成されている。ポンプヘッド２４は、容器２１から突出する上方にバネ等で付勢されており、また、図示しないポンプ機構が組み込まれている。ポンプヘッド２４を１回押下げ操作すると容器２１内の一定量の液体がノズル２３から吐出される。
【００１０】
図２に示すように、簡易オートディスペンサー装置１は、押下げ部材４が上下方向にスライド自在に取り付けられたボックス５と、センサ６１が取り付けられたトップ部６と、液体ボトル２が配置されるベース部７とをそれぞれ個別のパーツとして構成し、これらパーツ（５，６，７）を１つの線材３に組み付けてユニット化したものである。ボックス５、トップ部６及びベース部７の各パーツは、共通パーツとして、市販品の液体ボトル２の高さサイズに対応して長さの異なる線材３に組み付け可能に構成されている。図１（ａ）に示す簡易オートディスペンサー装置１は、長い線材３Ａ（３）を使用して、液体容量が多くボトル高さの高い市販品の液体ボトル２に対応するものであり、図１（ｂ）に示す簡易オートディスペンサー装置１は、短い線材３Ｂ（３）を使用して、液体容量が少なくボトル高さの低い市販品の液体ボトル２に対応するものである。
【００１１】
この簡易オートディスペンサー装置１は、センサ６１が使用者の手指を検知すると、押下げ部材４が上方位置から下方位置へ移動し、続いて上方位置へ復帰する押下げ動作を１回行う。これにより、液体ボトル２のポンプヘッド２４が１回押下げ操作され、ノズル２３から一定量の液体が吐出される。
【００１２】
線材３は、金属製の棒材をコ字状に折り曲げ形成したものであり、横方向に延びる横棒部３１と、横棒部３１の両端から下方に向けて折り曲げ形成された２本の縦棒部３２とから構成されている。縦棒部３２の下端部には、ベース部７を取り付けるための雄ネジ３３が形成されている。
【００１３】
押下げ部材４は、水平方向に延びる押下板４１と、上下方向に延びるスライド板４２とから構成されている。押下板４１は、スライド板４２の上部でスライド板４２に対して直角方向に延設され、液体ボトル２のポンプヘッド２４を押下げる部分である。押下板４１の先端部には、左右側部において下方へ折り曲げ形成されたガイド部４３が形成されている。これにより、液体ボトル２のポンプヘッド２４が水平回転自在に形成されていても、ポンプヘッド２４のノズル２３を左右のガイド部４３の間に配置させて前側を向かせることができる。
【００１４】
図３も参照して、スライド板４２には、ボックス５の前面５０にて左右一対に形成されたレール５１にスライド自在に組み付けられるガイド溝４４が左右にそれぞれ形成されている。スライド板４２の下部には、ボックス５の前面５０にて左右一対に形成された係止凸部５２に嵌まり込む係止凹部４５が左右側面にそれぞれ形成されている。これにより、押下げ部材４がレール５１に沿って上下移動自在にボックス５に取り付けられる。また、スライド板４２の係止凹部４５とボックス５側の係止凸部５２とにより、押下げ部材４が所定の下方位置に係止されてボックス５から落下することが防止される。スライド板４２の上部側中央部には、切欠４６が形成されている。この切欠４６により、押下げ部材４をボックス５に取り付ける際、後述するボックス前面５０の横棒支持部５３が干渉しないように逃すことができる。
【００１５】
ボックス５は、矩形箱型に形成されたものであり、押下げ部材４を押下げ動作させる駆動機構８（図１参照）を備えている。駆動機構８は、ボックス５内に収容された駆動源８１と、駆動源８１と連結されて押下板４１の上面に接触配置されたカム８３とを備える。ボックス５内には、駆動源８１の他に、駆動源８１を制御する制御部１１と、電源となる電池１２とが収容されている。制御部１１は、センサ６１により人の手指が検知されると押下げ部材４が１回押下げ動作するように駆動源８１を作動させる。
【００１６】
図５を参照して、駆動源８１は、モータ軸を一定角度（例えば、１３０度）内で正回転及び逆回転させる変速モータ８１ａにより構成される。変速モータ８１ａのモータ軸と接続する駆動軸８２は、ボックス５の前面５０に突出させてカム８３が取り付けられている。この変速モータ８１ａを使用することで、駆動軸８２を１８０度未満の一定角度内で正回転及び逆回転させるので、カム８３を一回転させる場合に比べてカム８３の上下の可動範囲を小さくすることができ、装置の高さが高くならないようにすることができる。
【００１７】
図２を参照して、ボックス５の前面５０には、上述したレール５１及び係止凸部５２の他に、上部中央に線材３の横棒部３１を下から支持して配置させる横長矩形状の横棒支持部５３が突設され、下部両端に線材３の縦棒部３２を挿通して配置させる環状の縦棒支持部５４が左右にそれぞれ突設されている。ボックス５の上面の前側には、トップ部６を取り付けるための取付凹部５５が形成され、この取付凹部５５の底面に２つのネジ孔５６が形成されている。
【００１８】
トップ部６は、板状に形成されており、外周縁には、周壁部６２が垂下形成されている。トップ部６の先端の円弧部分は、センサ６１を取り付けるセンサ取付部６３を構成する。センサ６１は、赤外線センサ６１が使用されるが、これに限らず、赤外線以外の他のセンサ６１を使用してもよい。周壁部６２の後面には、図４も参照して、後方に延びる第１取付片６４と、下方に延びる第２取付片６５とが形成されている。第１取付片６４は、ボックス５の上面の取付凹部５５に嵌め込むように配置され、第２取付片６５は、ボックス５の前面５０に当接させるように配置される。第１取付片６４には、ボックス５の取付凹部５５に設ける２つのネジ孔５６と対応して２つの貫通孔６６が設けられており、ネジ（図示せず）を貫通孔６６に通してボックス５側のネジ孔５６にネジ止めすることで、トップ部６がボックス５に取り付けられる。第２取付片６５の下部は、カム８３に接続する駆動軸８２を配置させるための切欠６７が形成されている。また、周壁部６２の後面側は、厚肉に形成されており、線材３の横棒部３１を配置させる第１凹部６８と、ボックス５に突設する横棒支持部５３を配置させる第２凹部６９とが形成されている。従って、トップ部６は、第１凹部６８とボックス５の横棒支持部５３との間で線材３の横棒部３１を挟み込むようにしてボックス５に取り付けられる。
【００１９】
ベース部７は、矩形板状に形成されており、上面の後方左右端部に線材３の縦棒部３２の下端を挿通配置させる貫通孔を設けた環状の線材取付部７１が形成されている。従って、線材３の２つの縦棒部３２を線材取付部７１に挿通して縦棒部３２の下端部の雄ネジ３３にベース部７の底面側からナット（図示せず）を螺合することで、ベース部７上に線材３が倒立状態となって固定される。ベース部７の上面中央部には、液体ボトル２の底面の凹部に配置する凸部７２が形成されている。この凸部７２により、ベース部７上に載置する液体ボトル２の位置ズレが防止される。
【００２０】
以上のボックス５部、トップ部６、ベース部７を線材３に組み付けるには、押下げ部材４をボックス５の前面５０に組み付け、このボックス５の左右の縦棒支持部５４に線材３の２つの縦棒部３２を挿通させ、線材３の横棒部３１をボックス５の上部の横棒支持部５３上に当接配置させる。そして、ボックス５の上面にトップ部６をネジ止めして取り付け、また、線材３の縦棒部３２の下端部にベース部７をナット締めして取り付けると、各バーツ（５，６，７）の線材３への組み付けが完了し、簡易オートディスペンサー装置１が完成する。
【００２１】
以上のように、実施形態の簡易オートディスペンサー装置１によれば、ボックス５、トップ部６及びベース部７は、それぞれ個別のパーツとし、１つの線材３に組み付けてユニットとするものである（図２）。これらボックス５、トップ部６及びベース部７は、市販品の液体ボトル２の高さサイズに対応して長さの異なる線材３に対して共通パーツとして組み付け可能に構成されている（図１（ａ）（ｂ））。従って、ユーザーが市場で手軽に購入できる市販品の液体ボトル２を使用することができ、利便性が向上する。また、市販品の液体ボトル２として様々な容器２１の高さサイズの違いにも線材３を変えるだけで線材３以外の他のパーツ（５，６，７）を共通パーツとして簡単に組み立てて装置を完成することができる。よって、様々な市販品の液体ボトル２に対応したオートディスペンサー装置１を簡単に、且つ低コストに提供することができる。
【００２２】
なお、本考案は、前記実施形態に限定されるものではなく、実用新案登録請求の範囲内で様々な変更を施すことが可能である。
例えば、駆動機構８の駆動源８１は、変速モータ８１ａに代えて、図６に示すように、一方向に回転するモータ９と、ギヤ機構９０とで構成する駆動源８１ｂでもよい。ギヤ機構９０は、モータ軸９１に取り付けたピニオン９１ａと歯合するクラウンギヤ９２と、クラウンギヤ９２のピニオン９２ａと歯合する第１ギヤ９３と、第１ギヤ９３のピニオン９３ａと歯合する第２ギヤ９４と、第２ギヤ９４のピニオン９４ａと歯合する駆動ギヤ９５とで構成することができる。駆動ギヤ９５の中心部に取り付けた駆動軸８２にはカム８３が取り付けられる。この駆動源８１ｂでは、モータ９及びギヤ機構９０によりカム８３を一回転させることで押下げ動作が１回行われる。
また、カム８３に代えて、上下に揺動するクランクを用いてもよい。
【符号の説明】
【００２３】
１  簡易オートディスペンサー装置
２  液体ボトル
３  線材
４  押下げ部材
５  ボックス
６  トップ部
７  ベース部
８  駆動機構
１１  制御部
１２  電池
２１  容器
２２  キャップ
２３  ノズル
２４  ポンプヘッド
３１  横棒部
３２  縦棒部
３３  雄ネジ
４１  押下板
４２  スライド板
４３  ガイド部
４４  ガイド溝
４５  係止凹部
４６  切欠
５０  前面
５１  レール
５２  係止凸部
５３  横棒支持部
５４  縦棒支持部
５５  取付凹部
５６  ネジ孔
６１  センサ
６２  周壁部
６３  センサ取付部
６４  第１取付片
６５  第２取付片
６６  貫通孔
６７  切欠
６８  第１凹部
６９  第２凹部
７１  線材取付部
７２  凸部
８１  駆動源
８１ａ  変速モータ
８２  駆動軸
８３  カム
【図１】
0003222758.tif 000003
【図２】
0003222758.tif 000004
【図３】
0003222758.tif 000005
【図４】
0003222758.tif 000006
【図５】
0003222758.tif 000007
【図６】
0003222758.tif 000008